(57)【要約】【課題】アライメント可能範囲が広く、高精度に角膜形状を測定する眼科装置を提供する。【解決手段】眼科装置は、被検眼の前眼部を異なる方向から実質的に同時に撮影する２以上の撮影部と、所定のパターンの拡散透過部と前記２以上の撮影部の光路が通過する２以上の透光部とが形成された光学部材を含み、光学部材の背面側に配置された光源からの光が拡散透過部を拡散透過することにより得られた測定パターン光を前眼部に投影する投影部と、投影部により測定パターン光が投影されている前眼部の画像に基づいて被検眼の角膜形状情報を求める角膜形状情報取得部と、２以上の撮影部により取得された２以上の撮影画像に基づいて投影部の移動量を決定する移動量決定部と、を含む。２以上の撮影部のそれぞれの入射瞳は、対応する透光部又はその近傍に配置されている。【選択図】図１
2019055122.tif 000002
【特許請求の範囲】
【請求項１】
被検眼の前眼部を異なる方向から実質的に同時に撮影する２以上の撮影部と、
所定のパターンの拡散透過部と前記２以上の撮影部の光路が通過する２以上の透光部とが形成された光学部材を含み、前記光学部材の背面側に配置された光源からの光が前記拡散透過部を拡散透過することにより得られた測定パターン光を前記前眼部に投影する投影部と、
前記投影部により前記測定パターン光が投影されている前記前眼部の画像に基づいて前記被検眼の角膜形状情報を求める角膜形状情報取得部と、
前記２以上の撮影部により取得された２以上の撮影画像に基づいて前記投影部の移動量を決定する移動量決定部と、
を含み、
前記２以上の撮影部のそれぞれの入射瞳は、対応する透光部又はその近傍に配置されている眼科装置。
【請求項２】
前記２以上の撮影部の少なくとも１つは、
前記２以上の透光部のうち対応する透光部又はその近傍に前側主平面が配置されたレンズと、
前記レンズより後側に配置された撮像素子と、
を含む
ことを特徴とする請求項１に記載の眼科装置。
【請求項３】
前記２以上の撮影部の少なくとも１つは、
前記２以上の透光部のうち対応する透光部又はその近傍に配置されたマイクロレンズと、
前記マイクロレンズより後側に配置された撮像素子と、
を含む
ことを特徴とする請求項１に記載の眼科装置。
【請求項４】
前記２以上の透光部は、開口部を含み、
光軸が前記開口部を通過し、前記前眼部のデータを取得する光学系を含む
ことを特徴とする請求項１〜請求項３のいずれか一項に記載の眼科装置。
【請求項５】
前記光学部材には開口部が形成され、
光軸が前記開口部を通過するように配置され前記前眼部のデータを取得する光学系を含み、
前記２以上の透光部は、前記開口部における前記光軸に相当する位置に対して非点対称の位置に形成されている
ことを特徴とする請求項１〜請求項３のいずれか一項に記載の眼科装置。
【請求項６】
前記２以上の透光部は、前記光軸に対して下方に形成されている
ことを特徴とする請求項５に記載の眼科装置。
【請求項７】
被検者の顔を支持する支持部と、
前記光学系と前記支持部とを相対的に移動する駆動部と、
前記移動量に基づき前記駆動部を制御することで、前記光学系と前記支持部とを相対移動させる制御部と、
を含む
ことを特徴とする請求項４〜請求項６のいずれか一項に記載の眼科装置。
【請求項８】
前記２以上の透光部は、前記拡散透過部に重複しない位置に形成されている
ことを特徴とする請求項１〜請求項７のいずれか一項に記載の眼科装置。
【請求項９】
前記所定のパターンは、リングパターン又は同心円パターンである
ことを特徴とする請求項１〜請求項８のいずれか一項に記載の眼科装置。
【発明の詳細な説明】
【技術分野】
【０００１】
本発明は、被検眼に測定パターンを投影して被検眼に関する情報を取得する眼科装置に関する。
【背景技術】
【０００２】
円錐角膜等の角膜疾患の診断、白内障等の眼疾患の手術、コンタクトレンズの処方等に、角膜形状測定機能を有する眼科装置による角膜の表面形状の測定結果が用いられる。このような眼科装置は、被検眼の角膜にリング状の測定パターンを投影し、測定パターンの角膜からの反射光を受光し、投影された測定パターンに対する反射光の形状の変化から角膜の形状情報を取得する（例えば、特許文献１、特許文献２を参照）。
【０００３】
被検眼の撮影や光コヒーレンストモグラフィ（Ｏｐｔｉｃａｌ  Ｃｏｈｅｒｅｎｃｅ  Ｔｏｍｏｇｒａｐｈｙ：ＯＣＴ）を用いた計測と同様に、角膜形状の測定に際しても、測定の精度や確度の観点から、装置光学系と被検眼との間の位置合わせが極めて重要である。この位置合わせはアライメントと呼ばれる。アライメントには、被検眼の軸に対して装置光学系の光軸を一致させる動作（ＸＹアライメント）と、被検眼と装置光学系との間の距離を合わせる動作（Ｚアライメント）とが含まれる。
【０００４】
アライメントには様々な手法がある。近年実現された手法として、被検眼の前眼部を異なる方向から撮影して得られた２以上の撮影画像を解析して被検眼の３次元位置を特定し、この３次元位置に基づいてＸＹアライメントとＺアライメントの双方を行う手法がある（例えば、特許文献３を参照）。この手法によれば、視野角が広い画像を取得することによりアライメント可能範囲（ダイナミックレンジ）が広いアライメントが可能になる。従って、この手法を用いることで、被検眼からある程度離れた位置で撮影された画像を用いてアライメントすることができる。
【先行技術文献】
【特許文献】
【０００５】
【特許文献１】特開昭６２−０３４５２６号公報
【特許文献２】特開２０１１−１６７３５９号公報
【特許文献３】特開２０１３−２４８３７６号公報
【発明の概要】
【発明が解決しようとする課題】
【０００６】
角膜形状測定機能を有する眼科装置では、所定の測定パターンの拡散透過部が形成されているプレート（ケラト板、プラチド板）が眼前に配置される。プレートの背面側（被検眼と反対側）に配置された光源からの光が拡散透過部を拡散透過することにより、例えば、リング状の測定パターン光が被検眼の角膜に投影される。
【０００７】
このような眼科装置において上記の２以上の撮影画像を用いたアライメントを行う場合、次のような問題がある。
【０００８】
角膜に投影される測定パターン光のリング径は角膜に対する測定パターン光の入射角度によって決定されるため、被検眼に対するプレートの位置によって測定パターン光のリング径が決定される。一方、２以上の撮影部の位置についても、前眼部を見込む角度によってアライメントの感度やアライメント可能範囲が決定される。従って、所望の測定パターン光のリング径で、２以上の撮影部を任意の位置に配置することができず、撮影部の撮影光路外の位置にプレートを配置することは困難である。その結果、撮影部の撮影光路が通るように透光部（開口部）が形成されたプレートを当該撮影光路に配置する必要がある。
【０００９】
プレートに形成された透光部のサイズを大きくすると、十分に広い視野の撮影画像を取得することができる。しかしながら、拡散透過部の領域に透光部が形成されるため、測定パターンの欠損が生じ、特定の経線範囲で測定パターン光を角膜に投影することが不可能になる。この場合、当該経線範囲の角膜形状の測定結果が得られなくなる。例えば、測定パターン光の反射光に基づくパターン像を円形や楕円形に近似することで、当該経線範囲の情報を補完したり、開口部より内側や外側のパターン像の情報を補完したりすることが考えられるが、特に角膜不正乱視や円錐角膜眼では誤差が大きくなる。
【００１０】
これに対して、プレートに形成された透光部のサイズを小さくすると、拡散透過部の領域以外の領域に透光部を形成しやすくなる。しかしながら、画角のついた光線がケラレやすくなり、結果的にアライメント可能範囲が狭くなる。
【００１１】
本発明は、このような事情を鑑みてなされたものであり、その目的は、アライメント可能範囲が広く、高精度な角膜形状の測定が可能な眼科装置を提供することにある。
【課題を解決するための手段】
【００１２】
実施形態の第１態様は、被検眼の前眼部を異なる方向から実質的に同時に撮影する２以上の撮影部と、所定のパターンの拡散透過部と前記２以上の撮影部の光路が通過する２以上の透光部とが形成された光学部材を含み、前記光学部材の背面側に配置された光源からの光が前記拡散透過部を拡散透過することにより得られた測定パターン光を前記前眼部に投影する投影部と、前記投影部により前記測定パターン光が投影されている前記前眼部の画像に基づいて前記被検眼の角膜形状情報を求める角膜形状情報取得部と、前記２以上の撮影部により取得された２以上の撮影画像に基づいて前記投影部の移動量を決定する移動量決定部と、を含み、前記２以上の撮影部のそれぞれの入射瞳は、対応する透光部又はその近傍に配置されている眼科装置である。
【００１３】
また、実施形態の第２態様では、第１態様において、前記２以上の撮影部の少なくとも１つは、前記２以上の透光部のうち対応する透光部又はその近傍に前側主平面が配置されたレンズと、前記レンズより後側に配置された撮像素子と、を含んでもよい。
【００１４】
また、実施形態の第３態様では、第１態様において、前記２以上の撮影部の少なくとも１つは、前記２以上の透光部のうち対応する透光部又はその近傍に配置されたマイクロレンズと、前記マイクロレンズより後側に配置された撮像素子と、を含んでもよい。
【００１５】
また、実施形態の第４態様では、前記２以上の透光部は、開口部を含み、光軸が前記開口部を通過し、前記前眼部のデータを取得する光学系を含んでもよい。
【００１６】
また、実施形態の第５態様では、第１態様〜第３態様のいずれかにおいて、前記光学部材には開口部が形成され、光軸が前記開口部を通過するように配置され前記前眼部のデータを取得する光学系を含み、前記２以上の透光部は、前記開口部における前記光軸に相当する位置に対して非点対称の位置に形成されていてもよい。
【００１７】
また、実施形態の第６態様では、第５態様において、前記２以上の透光部は、前記光軸に対して下方に形成されていてもよい。
【００１８】
また、実施形態の第７態様は、第４態様〜第６態様のいずれかにおいて、被検者の顔を支持する支持部と、前記光学系と前記支持部とを相対的に移動する駆動部と、前記移動量に基づき前記駆動部を制御することで、前記光学系と前記支持部とを相対移動させる制御部と、を含んでもよい。
【００１９】
また、実施形態の第８態様では、第１態様〜第７態様のいずれかにおいて、前記２以上の透光部は、前記拡散透過部に重複しない位置に形成されていてもよい。
【００２０】
また、実施形態の第９態様では、第１態様〜第８態様のいずれかにおいて、前記所定のパターンは、リングパターン又は同心円パターンであってよい。
【００２１】
なお、上記した複数の態様に係る構成を任意に組み合わせることが可能である。
【発明の効果】
【００２２】
本発明によれば、アライメント可能範囲が広く、高精度な角膜形状の測定が可能な眼科装置を提供することができるようになる。
【図面の簡単な説明】
【００２３】
【図１】実施形態に係る眼科装置の構成の一例を表す概略図である。
【図２】実施形態に係る眼科装置の構成の一例を表す概略図である。
【図３】実施形態に係る眼科装置の構成の一例を表す概略図である。
【図４】実施形態に係る眼科装置の構成の一例を表す概略図である。
【図５】実施形態に係る眼科装置の構成の一例を表す概略図である。
【図６】実施形態の比較例に係る眼科装置の構成の一例を表す概略図である。
【図７】実施形態の比較例に係る眼科装置の構成の一例を表す概略図である。
【図８】実施形態の比較例に係る眼科装置の動作の一例を表す概略図である。
【図９】実施形態に係る眼科装置の構成の一例を表す概略図である。
【図１０】実施形態に係る眼科装置の構成の一例を表す概略図である。
【図１１】実施形態に係る眼科装置の動作の一例を表す概略図である。
【図１２】実施形態に係る眼科装置の動作の一例を表すフローの概略図である。
【図１３】実施形態の変形例に係る眼科装置の構成の一例を表す概略図である。
【発明を実施するための形態】
【００２４】
この発明に係る眼科装置の実施形態の例について、図面を参照しながら詳細に説明する。実施形態に係る眼科装置は、被検眼の角膜形状を光学的に測定する角膜形状測定機能を備えている。このような眼科装置は、角膜形状測定機能の他に、光干渉断層計、眼底カメラ、走査型レーザ検眼鏡などの眼科撮影機能や、眼屈折検査装置、眼圧計、スペキュラーマイクロスコープ、ウェーブフロントアナライザなどの眼科測定機能を備えていてもよい。
【００２５】
以下の実施形態では、角膜にケラトリング（Ｋｅｒａｔｏ  ｒｉｎｇ）を投影して得られるケラトリング像を用いて被検眼Ｅの角膜形状を表す情報を取得する場合について説明する。しかしながら、実施形態に係る眼科装置は、角膜にプラチドリング（Ｐｒａｃｉｄｏ  ｒｉｎｇ）を投影して得られるプラチドリング像を用いて被検眼Ｅの角膜形状を表す情報を取得してもよい。
【００２６】
この明細書にて引用された文献に開示された技術を含む任意の公知技術を、実施形態に組み合わせることができる。
【００２７】
＜構成＞
図１〜図５に、実施形態に係る眼科装置の構成例を示す。眼科装置１は、被検眼Ｅの角膜形状に関する情報を取得する機能を備えている。眼科装置１は、被検眼Ｅに対する装置光学系の位置合わせを行った後、角膜形状に関する情報を取得することが可能である。
【００２８】
眼科装置１は、制御部１１と、データ処理部１２と、光学ユニット２０と、顔支持部７０と、第１駆動部８０Ａと、第２駆動部８０Ｂと、ユーザインターフェイス（ＵＩ）部９０とを含む。なお、第１駆動部８０Ａ及び第２駆動部８０Ｂのいずれか一方だけが設けられた構成であってもよい。典型的には、眼科装置１は、第１駆動部８０Ａだけを備えていてよい。
【００２９】
制御部１１及びデータ処理部１２のそれぞれは、プロセッサを含む。プロセッサは、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を含む。制御部１１及びデータ処理部１２の双方の機能が１つのプロセッサにより実現されてもよい。
【００３０】
プロセッサは、例えば、記憶回路や記憶装置に格納されているプログラムを読み出し実行することで、実施形態に係る機能を実現する。記憶回路や記憶装置の少なくとも一部がプロセッサに含まれていてよい。また、記憶回路や記憶装置の少なくとも一部がプロセッサの外部に設けられていてよい。
【００３１】
記憶装置等は、各種のデータを記憶する。記憶装置等に記憶されるデータとしては、測定光学系３０や前眼部カメラ６０により取得されたデータ（測定データ、撮影データ等）や、被検者及び被検眼に関する情報などがある。記憶装置等には、眼科装置１を動作させるための各種のコンピュータプログラムやデータが記憶されていてよい。
【００３２】
（制御部１１）
制御部１１は、眼科装置１の各部の制御を実行する。特に、制御部１１は、データ処理部１２、光学ユニット２０、第１駆動部８０Ａ、第２駆動部８０Ｂ、及びユーザインターフェイス（Ｕｓｅｒ  Ｉｎｔｅｒｆａｃｅ：ＵＩ）部９０を制御する。制御部１１は、アライメント制御部１１１と、ＵＩ制御部１１２とを含む。
【００３３】
（アライメント制御部１１１）
アライメント制御部１１１は、アライメントに関する制御を実行する。眼科装置１は、被検眼Ｅの前眼部Ｅａを異なる方向から撮影して得られる２以上の撮影画像を解析することにより被検眼Ｅの３次元位置を特定し、特定された３次元位置を用いたアライメントを実行することが可能である。アライメントに用いられる２以上の撮影画像は、後述の前眼部カメラ６０により取得される。測定光学系３０が前眼部撮影系を含む場合、アライメントに用いられる２以上の撮影画像は前眼部カメラ６０と測定光学系３０とにより取得されてもよい。
【００３４】
更に、アライメント制御部１１１は、上記のアライメントと、検者が手動で行うアライメント（マニュアルアライメント）とを実行可能であってよい。アライメント制御部１１１は、アライメント動作に対応したアライメンモードを選択する処理と、選択されたアライメントモードにおける各部の制御とを実行することが可能である。
【００３５】
（ＵＩ制御部１１２）
ＵＩ制御部１１２は、ユーザインターフェイス部９０に関する制御を行う。換言すると、ＵＩ制御部１１２は、眼科装置１とユーザとの間の情報のやりとりに関する制御を行う。典型的には、ＵＩ制御部１１２は、表示部９１に情報を表示させるための制御と、操作部９２を用いて行われた操作に応じた制御とを実行する。眼科装置１による情報の出力態様は表示出力に限定されず、音声出力、印刷出力、発光ダイオード等の点灯などが含まれていてもよい。
【００３６】
（データ処理部１２）
データ処理部１２は、各種のデータ処理を実行する。例えば、データ処理部１２は、測定光学系３０により取得された被検眼Ｅの前眼部の画像を解析する。前眼部の画像の解析結果は、角膜形状情報の取得に利用される。また、例えば、データ処理部１２は、前眼部カメラ６０により取得された画像を解析する。画像の解析結果は、アライメント等に利用される。
【００３７】
（光学ユニット２０）
光学ユニット２０には、被検眼Ｅの測定及び／又は撮影を行うための構成と、その準備を行うための構成とが格納されている。前者は測定光学系３０を含み、後者は前眼部カメラ６０を含む。前眼部カメラ６０はアライメントにおいて使用される。
【００３８】
光学ユニット２０には、測定光学系３０、ケラト板４０、及び前眼部カメラ６０が設けられている。前眼部カメラ６０は、光学ユニット２０の筐体表面に設置されているか、或いは、その一部が筐体表面に露出している。
【００３９】
光学ユニット２０には、図１に示す構成に加え、被検眼Ｅを正面から撮影するための光学系（照明光学系、観察光学系、撮影光学系等）が設けられてもよい。更に、測定光学系３０のフォーカシングを行うための構成などが設けられていてもよい。
【００４０】
（測定光学系３０）
測定光学系３０は、被検眼Ｅのデータを取得するための構成、及び／又は、被検眼Ｅを撮影するための構成を備える。測定光学系３０は、眼科装置１が提供する機能（測定機能、撮影機能等）に応じて構成される。この実施形態において、測定光学系３０は、対物レンズと、被検眼Ｅの前眼部Ｅａを撮影する前眼部撮影系（結像レンズ、イメージセンサ）とを含む。前眼部撮影系は、後述のように測定パターン光が投影されている被検眼Ｅの角膜を撮影することにより、測定パターン光の反射光に基づく像（パターン像）が描出された画像を取得する。測定光学系３０には、例えば、光源、光学素子（光学部材、光学デバイス）、アクチュエータ、機構、回路、表示デバイス、受光素子、イメージセンサなどが設けられる。
【００４１】
測定光学系３０は、検査に付随する機能を提供するための構成を備えていてよい。例えば、被検眼Ｅを固視させるための視標（固視標）を被検眼Ｅの眼底に投影するための固視光学系が設けられていてよい。
【００４２】
（光学ユニット２０の位置の検出）
眼科装置１は、光学ユニット２０の位置を検出する機能を備える。例えば、制御部１１は、第１駆動部８０Ａ及び／又は第２駆動部８０Ｂに対する制御の内容を記録し、この記録（制御の履歴）から測定光学系３０の位置を求めることができる。他の例において、眼科装置１は、光学ユニット２０の位置を検知する位置センサを含む。
【００４３】
制御部１１（アライメント制御部１１１等）は、データ処理部１２により決定された光学ユニット２０と被検眼Ｅにおける基準位置との相対位置とに基づいて、第１駆動部８０Ａ及び／又は第２駆動部８０Ｂを制御することができる。それにより、光学ユニット２０を被検眼Ｅにおける基準位置に対する既定の位置に移動させることができる。
【００４４】
この実施形態において、アライメントは、Ｚアライメント及びＸＹアライメントを含む。Ｚアライメントは、測定光学系３０の光軸方向（Ｚ方向）におけるアライメントである。ＸＹアライメントは、Ｚ方向に直交するＸ方向（水平方向）及びＹ方向（鉛直方向）におけるアライメントである
【００４５】
ＸＹアライメント及びＺアライメントのそれぞれは、２以上の前眼部カメラ６０により実質的に同時に得られた２以上の撮影画像を解析することによって実行される。
【００４６】
また、２以上の前眼部カメラ６０のいずれかにより取得された前眼部Ｅａの画像（換言すると、測定光学系３０の光路から外れた位置に配置された前眼部カメラ６０により取得された画像、つまり、斜め方向から前眼部Ｅａを撮影して取得された画像）を、正面から見込んだ画像に変換する画像処理を適用することができる。この処理は、例えば、前眼部カメラ６０の見込角（前眼部カメラ６０の位置）に基づく視点変換である。このような画像処理を介して形成された正面画像を用いてＸＹアライメントやＺアライメントを行うことが可能である。
【００４７】
マニュアルアライメントの場合、ＵＩ制御部１１２が前眼部Ｅａの画像とアライメントマークとを表示部９１に表示し、ユーザが所定のアライメント条件を満たすように操作部９２を操作する。また、マニュアルアライメントにおいて、ＵＩ制御部１１２は、ユーザの操作を補助するための情報を表示部９１に表示させることができる。例えば、アライメントのズレ方向及び／又はズレ量を表す情報を表示させることや、光学ユニット２０を移動させるべき方向及び／又は量を表示させることができる。
【００４８】
オートアライメントの場合、アライメントマークに対する前眼部Ｅａにおける特徴位置（例えば、角膜頂点や瞳孔領域）の変位をデータ処理部１２が算出し、この変位をキャンセルするようにアライメント制御部１１１が光学ユニット２０をＸＹ方向やＺ方向に移動させる。
【００４９】
（ケラト板４０）
ケラト板４０は、光学ユニット２０の前面（被検眼Ｅに対向する面）に配置されている。ケラト板４０には、所定の測定パターンの拡散透過部と、前眼部カメラ６０の撮影光路が通過する２以上の透光部とが形成されている。透光部は、開口された部分であってよい。また、透光部には、光を透過する光学素子が設けられていてもよい。
【００５０】
測定光学系３０に設けられた前眼部撮影系が前眼部カメラ６０の１つを兼用する場合、２以上の透光部は、測定光学系３０の光軸が通過する開口部を含んでもよい。この場合、ケラト板４０には、拡散透過部の他に、１つの開口部と１つの透光部だけを形成すればよいため、撮影光路が通過する透光部の配置の自由度を向上させ、測定パターンの欠損を回避しやすくなる。
【００５１】
以下、ケラト板４０には、拡散透過部の他に、１つの開口部と、２つの透光部が形成される場合（すなわち、２つの前眼部カメラ６０を用いる場合）について説明する。
【００５２】
測定パターンは、例えば、リングパターン又は同心円パターンである。また、測定パターンは、例えば、楕円パターン、任意の曲線パターン、任意の直線パターンなどであってもよい。更に、測定パターンは、閉曲線でなくてもよい。例えば、測定パターンは、円の一部、同心円の一部、楕円の一部などであってもよい。また、測定パターンは、２次元的広がりを有する面状パターンでもよい。
【００５３】
なお、測定パターンは、リングパターン又は同心円パターン等の連続パターンではなく、離散的パターンであってもよい。
【００５４】
離散的パターンは、任意の個数の点状パターンや、任意の個数の線状パターンや、任意の個数の面状パターンなどを含んでよい。
【００５５】
また、ケラト板４０の背面側（被検眼Ｅと反対側）には、図示しない光源が配置されている。光源は、発光デバイスであってもよいし、発光デバイスと光学素子との組み合わせでもよい。発光デバイスの典型的な例として、不可視光である近赤外領域（例えば、中心波長が９５０ｎｍ）の光を発する発光ダイオード（ＬＥＤ）がある。発光デバイスは、測定パターン（拡散透過部）に応じた形状を備えていてよい。また、ケラト板４０には、測定パターンに応じて配置された複数の発光デバイスが設けられていてもよい。
【００５６】
以上のように、ケラト板４０の背面側に配置された光源からの光が拡散透過部を拡散透過することにより、所定の測定パターン光が被検眼Ｅの前眼部Ｅａに投影される。その投影像は、被検眼Ｅの角膜形状情報を取得するために利用される。
【００５７】
角膜形状情報は、例えば、公知の眼科装置を用いて測定可能な、角膜の形状を表す任意のパラメータ値を含む。典型的には、角膜形状情報は、曲率半径（曲率）、強主経線の向き、強主経線に沿う曲率半径（度数）、弱主経線の向き、弱主経線に沿う曲率半径（度数）、楕円率、離心率、扁平率、不正乱視も含むトポグラフ、ゼルニケ多項式を用いた収差情報などのいずれかを含んでよい。
【００５８】
（前眼部カメラ６０）
前眼部カメラ６０は、異なる位置に２台以上設けられている。各前眼部カメラ６０は、例えば、所定のフレームレートで動画撮影を行うビデオカメラである。２以上の前眼部カメラ６０は、前眼部を異なる方向から実質的に同時に撮影する。
【００５９】
図１に示す例では、測定光学系３０等の光路から外れた位置に設けられているが、これには限定されない。例えば、測定光学系３０に前眼部撮影系（例えば、イメージセンサ）が設けられている場合、２以上の前眼部カメラの１つがこの前眼部撮影系であってよい。
【００６０】
図３及び図４に、実施形態に係る眼科装置１における前眼部カメラ６０を模式的に示す。図３は、眼科装置１の光学系を上方から見た図を模式的に表したものである。図４は、眼科装置１の光学系を側方から見た図を模式的に表したものである。図３及び図４において、図１と同様の部分には同一符号を付し、説明を省略する。
【００６１】
この実施形態では、例えば、図３に示すように２台の前眼部カメラ６０Ａ及び６０Ｂが設けられている。なお、図３は上面図であり、＋Ｙ方向は鉛直上方を示し、＋Ｚ方向は測定光学系３０の光軸方向であって測定光学系３０から被検眼Ｅに向かう方向を示す。また、前眼部カメラ６０Ａ及び６０Ｂはそれぞれ、測定光学系３０の光路から外れた位置に設けられている。以下、２台の前眼部カメラ６０Ａ及び６０Ｂをまとめて符号「６０」で表すことがある。
【００６２】
前眼部カメラの個数は２以上の任意の個数であってよいが、異なる２方向から実質的に同時に前眼部を撮影可能な構成であればよい。また、１つの前眼部カメラが測定光学系３０と同軸に配置されていてもよい。
【００６３】
「実質的に同時」とは、例えば、２以上の前眼部カメラによる撮影において、眼球運動を無視できる程度の撮影タイミングのズレを許容することを示す。それにより、被検眼Ｅが実質的に同じ位置（向き）にあるときの画像を２以上の前眼部カメラによって取得することができる。
【００６４】
また、２以上の前眼部カメラによる撮影は動画撮影でも静止画撮影でもよいが、この実施形態では動画撮影を行う場合について特に詳しく説明する。動画撮影の場合、撮影開始タイミングを合わせるよう制御したり、フレームレートや各フレームの撮影タイミングを制御したりすることにより、上記した実質的に同時の前眼部撮影を実現することができる。一方、静止画撮影の場合、撮影タイミングを合わせるよう制御することにより、これを実現することができる。
【００６５】
２以上の前眼部カメラ６０の少なくとも１つは、対応する透光部又はその近傍に前側主平面が配置された撮像レンズ６１と、撮像レンズ６１より後側（射出側）に配置された撮像素子６２とを含む。各前眼部カメラ６０の入射瞳は、対応する透光部又はその近傍に配置される。それにより、入射瞳のサイズとほぼ同等まで透光部のサイズをできるだけ小さくすることができる。従って、ケラト板４０において拡散透過部を避けて透光部を形成しやすくなり、欠損部分がない、または欠損部がある場合でも欠損領域の少ない測定パターン光を被検眼Ｅの角膜に投影することができるようになる。更に、前眼部カメラ６０は口径食（ｖｉｇｎｅｔｔｉｎｇ）が少なく十分に広い視野の撮影画像を取得することができるため、２以上の撮影画像を用いることによるダイナミックレンジが広いアライメントを実現することが可能になる。
【００６６】
例えば、測定光学系３０に設けられた図示しない対物レンズの左側には前眼部カメラ６０Ａが配置され、右側には前眼部カメラ６０Ｂが配置されている。この実施形態では、図４に示すように、対物レンズのレンズ中心（測定光学系３０の光軸Ｏ）よりも下方（−Ｙ方向）に前眼部カメラ６０Ａ及び６０Ｂが配置されている。従って、ケラト板４０において、２以上の透光部は、開口部における測定光学系３０の光軸に対して下方に形成されている。それにより、前眼部カメラ６０Ａ及び６０Ｂにより取得される撮影画像に被検者の瞼や睫毛が映り込む可能性を低減することができる。また、眼の窪み（眼窩）が深い被検者であっても、好適に前眼部撮影を行うことができる。
【００６７】
（顔支持部７０）
顔支持部７０は、被検者の顔を支持するための部材を含む。例えば、顔支持部７０は、被検者の額が当接される額当てと、被検者の顎が載置される顎受けとを含む。なお、顔支持部７０は、額当て及び顎受けのいずれか一方のみを備えてもよく、これら以外の部材を備えてもよい。
【００６８】
（第１駆動部８０Ａ及び第２駆動部８０Ｂ）
第１駆動部８０Ａは、制御部１１（アライメント制御部１１１等）による制御を受けて光学ユニット２０を移動する。第１駆動部８０Ａは、光学ユニット２０を３次元的に移動可能である。第１駆動部８０Ａは、例えば、従来と同様に、光学ユニット２０をＸ方向に移動させるための機構と、Ｙ方向に移動させるための機構と、Ｚ方向に移動させるための機構とを含む。また、第１駆動部８０Ａは、光学ユニット２０の光軸を含む平面（水平面、垂直面等）内にて光学ユニット２０を回動させる回動機構を含んでもよい。
【００６９】
第２駆動部８０Ｂは、制御部１１（アライメント制御部１１１等）による制御を受けて顔支持部７０を移動する。第２駆動部８０Ｂは、顔支持部７０を３次元的に移動可能である。第２駆動部８０Ｂは、例えば、顔支持部７０をＸ方向に移動させるための機構と、Ｙ方向に移動させるための機構と、Ｚ方向に移動させるための機構とを含む。また、第２駆動部８０Ｂは、顔支持部７０（又はそれに含まれる部材）の向きを変更するための回動機構を含んでもよい。顔支持部７０に複数の部材が設けられている場合、第２駆動部８０Ｂは、これら部材を個別に移動するよう構成されてよい。例えば、第２駆動部８０Ｂは、額当てと顎受けとを個別にあるいはいずれか一方のみを移動するよう構成されてよい。
【００７０】
（ユーザインターフェイス部９０）
ユーザインターフェイス部９０は、情報の表示、情報の入力、操作指示の入力など、眼科装置１とそのユーザとの間で情報をやりとりするための機能を提供する。ユーザインターフェイス部９０は、出力機能と入力機能とを提供する。ユーザインターフェイス部９０は、ＵＩ制御部１１２によって制御される。
【００７１】
出力機能を提供する構成の典型例として表示部９１がある。表示部９１は、フラットパネルディスプレイ等の表示デバイスを含む。出力機能に係る構成の他の例として、音声出力装置や発光ダイオードがある。
【００７２】
入力機能を提供する構成の典型例として操作部９２がある。操作部９２は、レバー、ボタン、キー、ポインティングデバイス等の操作デバイスを含む。また、入力機能に係る構成の他の例として、マイクロフォンやデータライタがある。
【００７３】
ユーザインターフェイス部９０は、タッチパネルディスプレイのような出力機能と入力機能とが一体化されたデバイスを含んでよい。また、ユーザインターフェイス部９０は、情報の入出力を行うためのグラフィカルユーザインターフェイス（ＧＵＩ）を含んでよい。
【００７４】
（データ処理部１２の詳細）
データ処理部１２の詳細を説明する。図２に示すように、データ処理部１２には、画像補正部１２１と、特徴位置特定部１２２と、３次元位置算出部１２３と、移動量決定部１２４と、角膜形状情報取得部１２５とが設けられている。
【００７５】
（画像補正部１２１）
画像補正部１２１は、前眼部カメラ６０により得られた撮影画像の歪みを、所定の収差情報に基づいて補正する。この処理は、例えば、歪曲収差を補正するための補正係数に基づく公知の画像処理技術によって実行される。なお、前眼部カメラ６０の光学系が撮影画像に与える歪曲収差が十分に小さい場合などには画像補正部１２１を設ける必要はない。
【００７６】
収差情報は、例えば、眼科装置１に設けられた記憶装置等に予め格納される。或いは、外部装置に予め格納された収差情報を眼科装置１が参照できるように構成することもできる。収差情報には、各前眼部カメラ６０について、それに搭載された光学系の影響により撮影画像に発生する歪曲収差に関する情報が記録されている。ここで、前眼部カメラ６０に搭載された光学系には、例えばレンズ等の歪曲収差を発生させる光学素子が含まれている。収差情報は、これらの光学素子が撮影画像に与える歪みを定量化したパラメータと言える。
【００７７】
収差情報の生成方法の例を説明する。前眼部カメラ６０の器差（歪曲収差の差異）を考慮して各前眼部カメラ６０について次のような測定が行われる。作業者は、所定の基準点を準備する。基準点とは、歪曲収差の検出に用いられる撮影ターゲットである。作業者は、基準点と前眼部カメラ６０との相対位置を変更しつつ複数回の撮影を行う。それにより、異なる方向から撮影された基準点の複数の撮影画像が得られる。作業者は、取得された複数の撮影画像をコンピュータで解析することにより、この前眼部カメラ６０のための収差情報を生成する。
【００７８】
収差情報を生成するための解析処理には、例えば以下の工程が含まれる。
・各撮影画像から基準点に相当する画像領域を抽出する抽出工程
・各撮影画像における基準点に相当する画像領域の分布状態（座標）を算出する分布状態算出工程
・得られた分布状態に基づいて歪曲収差を表すパラメータを算出する歪曲収差算出工程
・得られたパラメータに基づいて歪曲収差を補正するための係数を算出する補正係数算出工程
【００７９】
なお、光学系が画像に与える歪曲収差に関連するパラメータとしては、主点距離、主点位置（縦方向、横方向）、レンズのディストーション（放射方向、接線方向）などがある。収差情報は、各前眼部カメラ６０の識別情報と、これに対応する補正係数とを関連付けた情報（例えばテーブル情報）として構成される。画像補正部１２１は、このようにして生成された収差情報を参照することで、前眼部カメラ６０Ａ又は６０Ｂにより取得された撮影画像の収差補正を行う。このような収差補正はキャリブレーション（Ｃａｌｉｂｒａｔｉｏｎ）などと呼ばれる。
【００８０】
（特徴位置特定部１２２）
特徴位置特定部１２２は、前眼部カメラ６０により取得された各撮影画像、又は画像補正部１２１により歪曲収差が補正された各撮影画像を解析することで、前眼部Ｅａの所定の特徴部位に相当する当該撮影画像中の位置（特徴位置と呼ぶ）を特定する。所定の特徴部位としては、たとえば被検眼Ｅの瞳孔中心または角膜頂点が用いられる。以下、角膜頂点を特定する処理の具体例を説明する。
【００８１】
測定光学系３０には、図示しないアライメント指標投影系が設けられている。アライメント指標投影系は、後述の制御部１１からの制御を受け、被検眼Ｅの角膜に向けてアライメント指標光を投影する。アライメント指標投影系により投影されたアライメント指標光束は、角膜表面で反射し輝点状の虚像（プルキンエ像）を結像する。特徴位置特定部１２２は、撮影画像の画素値（輝度値など）の分布に基づいて、被検眼Ｅの前眼部画像中の輝点像（輝点領域）を特定する。一般に輝点像は他の部位よりも輝度が高く描画されるので、高輝度の画像領域を探索することによって輝点像を特定することができる。このとき、輝点領域の形状を考慮して輝点像を特定するようにしてもよい。つまり、略円形かつ特定の面積を有する高輝度の画像領域を探索することによって輝点像を特定するように構成することができる。
【００８２】
特徴位置特定部１２２は、特定された輝点像（輝点領域）の重心を求め、この重心位置を角膜頂点としてもよい。
【００８３】
なお、瞳孔等、他の特徴部位に対応する特徴位置を特定する場合であっても、上記と同様に撮影画像の画素値の分布に基づいて当該特徴位置を特定することが可能である。
【００８４】
（３次元位置算出部１２３）
３次元位置算出部１２３は、２以上の前眼部カメラ６０の位置と、特徴位置特定部１２２により特定された２以上の撮影画像中の特徴位置（角膜頂点位置）とに基づいて、被検眼Ｅの特徴部位の３次元位置を算出する。この処理について図５を参照しつつ説明する。
【００８５】
図５は、被検眼Ｅと前眼部カメラ６０Ａ及び６０Ｂとの間の位置関係を示す上面図である。２つの前眼部カメラ６０Ａ及び６０Ｂの間の距離（基線長）を「Ｂ」で表す。２つの前眼部カメラ６０Ａ及び６０Ｂの基線と、被検眼Ｅの特徴部位Ｐとの間の距離（撮影距離）を「Ｈ」で表す。各前眼部カメラ６０Ａ及び６０Ｂと、その画面平面との間の距離（画面距離）を「ｆ」で表す。
【００８６】
このような配置状態において、前眼部カメラ６０Ａ及び６０Ｂによる撮影画像の分解能は次式で表される。ここで、Δｐは画素分解能を表す。
【００８７】
ｘｙ方向の分解能（平面分解能）：Δｘｙ＝Ｈ×Δｐ／ｆ
ｚ方向の分解能（奥行き分解能）：Δｚ＝Ｈ×Ｈ×Δｐ／（Ｂ×ｆ）
【００８８】
３次元位置算出部１２３は、２つの前眼部カメラ６０Ａ及び６０Ｂの位置（既知である）と、２つの撮影画像において特徴部位Ｐに相当する特徴位置とに対して、図５に示す配置関係を考慮した公知の三角法を適用することにより、特徴部位Ｐの３次元位置、つまり被検眼Ｅの３次元位置を算出する。以上のように、３次元位置算出部１２３は、被検眼Ｅの角膜頂点の３次元位置を算出することができる。
【００８９】
（移動量決定部１２４）
移動量決定部１２４は、光学ユニット２０と３次元位置算出部１２３により求められた角膜頂点（特徴部位Ｐ）との３次元相対位置に基づいて、光学ユニット２０の移動量（移動方向を含む）を決定する。具体的には、移動量決定部１２４は、３次元位置算出部１２３により求められた角膜頂点位置に対する光学ユニット２０の位置が所定の位置関係になるように移動量を決定する。所定の位置関係は、角膜頂点位置に対してＸ方向及びＹ方向の位置がそれぞれ一致し、且つＺ方向の距離が所定の作動距離になるようなものである。移動量決定部１２４により決定された移動量は、制御部１１に送られる。制御部１１は、測定光学系３０の現在位置を起点に、求められた移動量だけ測定光学系３０の位置を変更する制御を行う。それにより、測定光学系３０の光軸が被検眼Ｅの軸に一致し、且つ被検眼Ｅに対する測定光学系３０の距離が所定の作動距離になるように第１駆動部８０Ａ及び第２駆動部８０Ｂの少なくとも一方が制御される。プルキンエ像の位置は角膜曲率によって異なるため、角膜頂点位置に対して誤差を持つが、角膜曲率を平均的な曲率半径を８ｍｍとして求めることで、角膜形状測定結果としての誤差は許容範囲内に抑えることができる。
【００９０】
（角膜形状情報取得部１２５）
角膜形状情報取得部１２５は、測定光学系３０に設けられた前眼部撮影系により取得された撮影画像に基づいて、被検眼Ｅの角膜形状情報を求める。角膜形状情報は、前述したパラメータ値のいずれかを含む。
【００９１】
角膜形状情報取得部１２５は、前眼部撮影系により取得されたパターン像を解析することにより角膜前面の強主経線や弱主経線の角膜曲率半径を算出し、角膜曲率半径に基づいて角膜の形状を表すパラメータを算出する。例えば、角膜形状情報取得部１２５は、取得されたパターン像に対して演算処理を施すことにより角膜曲率半径を算出し、算出された角膜曲率半径から角膜屈折力、角膜乱視度及び角膜乱視軸角度を算出する。
【００９２】
また、角膜形状情報取得部１２５は、前眼部カメラ６０Ａ及び６０Ｂにより取得された２つの撮影画像の少なくとも１つに基づいて、被検眼Ｅの角膜形状情報を求めてもよい。
【００９３】
前眼部カメラ６０（６０Ａ、６０Ｂ）又は測定光学系３０に設けられた前眼部撮影系は、実施形態に係る「撮影部」の一例である。ケラト板４０は、実施形態に係る「光学部材」の一例である。ケラト板４０及びケラト板の背面側に配置された光源は、実施形態に係る「投影部」の一例である。撮像レンズ６１Ａ、６１Ｂ、６３Ａは、実施形態に係る「レンズ」の一例である。測定光学系３０は、実施形態に係る「光学系」の一例である。顔支持部７０は、実施形態に係る「支持部」の一例である。第１駆動部８０Ａ及び第２駆動部８０Ｂの少なくとも一方は、実施形態に係る「駆動部」の一例である。
【００９４】
＜比較例との対比＞
まず、実施形態の比較例に係る眼科装置について説明する。
【００９５】
図６に、実施形態の比較例に係る眼科装置の光学系の構成を模式的に示す。図６は、比較例に係るケラト板４０ａと実施形態に係る前眼部カメラ６０Ａに対応する前眼部カメラ６０ａとを表す。図６では、前眼部カメラ６０Ｂに対応する比較例に係る前眼部カメラの図示が省略されている。
【００９６】
前眼部カメラ６０ａは、撮像レンズ６１ａと、撮像素子６２ａとを含む。角膜形状測定機能を有する眼科装置において２以上の撮影画像を用いてアライメントを実行する場合、ケラト板４０ａが撮影光路に配置される。この場合、ケラト板４０ａには、前眼部カメラ６０ａの撮影光路が通過する透光部が形成される。単純にケラト板４０ａの背面側に前眼部カメラ６０ａを配置した場合、できるだけ広いダイナミックレンジを確保するように一定以上の画角を確保するため、ケラト板４０ａと前眼部カメラ６０ａ（撮像レンズ６１ａ）との位置関係から透光部のサイズＲが決定される。
【００９７】
図７に、図６のケラト板４０ａを模式的に示す。図７は、被検眼Ｅの側から見たケラト板４０ａの正面図を模式的に表す。
【００９８】
ケラト板４０ａには、比較例に係る測定光学系の光軸が通過する開口部４１ａと、リング状の拡散透過部４２ａとが形成されている。更に、ケラト板４０ａには、前眼部カメラ６０ａの撮影光路が通過する透光部４３ａと、前眼部カメラ６０ｂの撮影光路が通過する透光部４４ａとが形成されている。比較例では、上記のように透光部４３ａ、４４ａのサイズＲが必要になるため、拡散透過部４２ａの一部が透光部４３ａ、４４ａと重複する。従って、被検眼Ｅの角膜に投影される測定パターンの一部が欠損する。
【００９９】
図８に、比較例において被検眼Ｅの角膜に投影される測定パターンの説明図を示す。図８は、比較例における被検眼Ｅの前眼部Ｅａの画像を表す。
【０１００】
図８に示す前眼部の画像ＩＭＧにおいては、測定パターン光の反射光に基づくパターン像ＰＴが描出される。このパターン像ＰＴには欠損部分ＬＳ１、ＬＳ２が存在する。欠損部分ＬＳ１は、ケラト板４０ａにおける拡散透過部４２ａと透光部４４ａとの重複領域に対応している。欠損部分ＬＳ２は、ケラト板４０ａにおける拡散透過部４２ａと透光部４３ａとの重複領域に対応している。この場合、欠損部分ＬＳ１、ＬＳ２に対応する経線範囲の角膜形状の測定結果が得られなくなり、求められる角膜形状情報の誤差が大きくなる。
【０１０１】
次に、実施形態に係る眼科装置１について説明する。
【０１０２】
図９に、実施形態に係る眼科装置１の光学系の構成を模式的に示す。図９は、ケラト板４０と前眼部カメラ６０Ａとを表す。図９において、図３と同様の部分には同一符号を付し、適宜説明を省略する。なお、図９では、前眼部カメラ６０Ｂの図示が省略されている。
【０１０３】
実施形態では、上記のように前眼部カメラ６０の入射瞳がケラト板４０に形成された透光部又はその近傍に配置される。例えば、撮像レンズ６１Ａとして、入射瞳がレンズ面の前側（入射側）にあるレンズ系（例えば、ハイアイポイントレンズ）を用いることができる。撮像レンズ６１Ａの光軸は、前眼部カメラ６０Ａの撮影光路の向きに一致している。それにより、ケラト板４０の透光部又はその近傍に前眼部カメラ６０Ａの入射瞳を配置することが可能になる。従って、ケラト板４０の背面側に前眼部カメラ６０Ａを配置した場合でも、十分に広い視野を確保しつつ、透光部のサイズｒ１（ｒ＜Ｒ）を小さくすることができる。
【０１０４】
図１０に、実施形態に係るケラト板４０を模式的に示す。図１０は、被検眼Ｅの側から見たケラト板４０の正面図を模式的に示す。
【０１０５】
ケラト板４０には、測定光学系３０の光軸が通過する開口部４１と、リング状の拡散透過部４２とが形成されている。更に、ケラト板４０には、前眼部カメラ６０Ａの撮影光路が通過する透光部４３と、前眼部カメラ６０Ｂの撮影光路が通過する透光部４４とが形成されている。実施形態では、上記のように透光部４３、４４のサイズｒ１が必要になるため、拡散透過部４２に重複することなく透光部４３、４４の位置を自由に決定することができる。または、重複する場合であっても、欠損部を最小限に抑えることができる。
【０１０６】
例えば、透光部４３、４４を測定光学系３０の光軸に対して下方に形成することにより、前眼部カメラ６０Ａ及び６０Ｂにより取得される撮影画像に被検者の瞼や睫毛が映り込む可能性を低減することができる。また、眼の窪み（眼窩）が深い被検者であっても、好適に前眼部撮影を行うことができる。
【０１０７】
また、ケラト板４０において、透光部４３、４４（すなわち、２以上の透光部）によりリング状の拡散透光部４２を透過して形成された測定パターンの一部に欠損が生じる場合、透光部４３、４４は開口部４１における測定光学系３０の光軸に相当する位置に対して非点対称の位置に形成されていることが望ましい。透光部４３、４４が光軸に相当する位置に対して点対称の位置に形成されている場合、取得されたパターン像の歪み方向によっては当該パターン像を楕円近似したときの長径又は短径を特定することができなくなり、所望の角膜形状情報を求めることができなくなる。これに対して、透光部４３、４４が光軸に相当する位置に対して非点対称の位置に形成されている場合、取得されたパターン像を楕円近似することにより長径及び短径の少なくとも一方を特定することができ、より精度の高い角膜形状情報を求めることができるようになる。
【０１０８】
図１１に、実施形態において被検眼Ｅの角膜に投影される測定パターンの説明図を示す。図１１は、実施形態における被検眼Ｅの前眼部Ｅａの画像を表す。
【０１０９】
図１１に示す前眼部の画像ＩＭＧ１においても、図８に示す画像ＩＭＧと同様に、測定パターン光の反射光に基づくパターン像ＰＴ１が描出される。このパターン像ＰＴ１には欠損部分がなく、角膜形状情報を正確に求めることができる。
【０１１０】
＜動作例＞
次に、眼科装置１の動作について説明する。
【０１１１】
図１２に、実施形態に係る眼科装置１の動作例のフロー図を示す。図１２において、被検者の患者情報（患者ＩＤ、患者氏名等）の入力や、検査種別（検査モード）の選択などは事前に行われているものとする。以下、主として、アライメント動作後に角膜形状情報を求める場合について説明する。
【０１１２】
（Ｓ１：測定パターン光、アライメント指標光の投射を開始）
制御部１１は、ケラト板４０の背面側に配置された光源を制御して、当該光源から光を出力させる。光源から出力された光は、図１０に示す拡散透過部４２を拡散透過し、リング状の測定パターン光として被検眼Ｅの前眼部Ｅａに投射される。同時に、制御部１１は、図示しないアライメント指標投影系を制御することにより、アライメント指標光束を被検眼Ｅの角膜に投射させる。
【０１１３】
（Ｓ２：前眼部の撮影を開始）
次に、制御部１１（アライメント制御部１１１）は、前眼部カメラ６０Ａ及び６０Ｂを制御して前眼部Ｅａの撮影を開始させる。
【０１１４】
前眼部カメラ６０Ａ及び６０Ｂのそれぞれは、所定の時間間隔で画像取得を繰り返し、取得された撮影画像を逐次にアライメント制御部１１１に送る。アライメント制御部１１１は、前眼部カメラ６０Ａ及び６０Ｂにより実質的に同時に取得された一対の撮影画像を、データ処理部１２に逐次に送る。
【０１１５】
データ処理部１２は、逐次に入力される一対の撮影画像に対し、以下のような処理を逐次に適用する。任意的ではあるが、画像補正部１２１は、撮影画像の歪みを収差情報に基づいて補正することができる。
【０１１６】
（Ｓ３：輝点像を特定）
アライメント制御部１１１は、ステップＳ２において取得された一対の撮影画像を解析することにより前眼部Ｅａにおける輝点像を特徴位置特定部１２２に特定させる。例えば、特徴位置特定部１２２は、上記のように、撮影画像の画素値に基づいて被検眼Ｅの角膜反射輝点像に相当する画像領域を輝点像として特定し、特定された輝点像の重心位置を特定する。
【０１１７】
（Ｓ４：特定成功？）
アライメント制御部１１１は、ステップＳ３において輝点領域が特定されたか否かを判別する。アライメント制御部１１１は、ステップＳ２において取得された前眼部の画像の輝度分布や、ステップＳ３において特定された前眼部の画像中の閾値を超える画素の面積や形状などに基づいて、瞳孔領域が特定されたか否かを判別することができる。
【０１１８】
輝点像が特定されたと判別されたとき（Ｓ４：Ｙ）、眼科装置１の動作はステップＳ５に移行する。輝点像が特定されなかったと判別されたとき（Ｓ４：Ｎ）、眼科装置１の動作はステップＳ６に移行する。
【０１１９】
（Ｓ５：角膜頂点アライメント）
ステップＳ４において輝点像が特定されたと判別されたとき（Ｓ４：Ｙ）、アライメント制御部１１１は、アライメントモードを角膜頂点アライメントモードに切り替える。すなわち、アライメント制御部１１１は、前眼部Ｅａの画像から輝点像の位置を特徴位置特定部１２２に特定させる。輝点像の位置は、ステップＳ３において求められた輝点像の重心位置であってよい。続いて、アライメント制御部１１１は、一対の撮影画像において特定された輝点像の位置を用いて瞳孔領域の３次元位置を３次元位置算出部１２３に算出させる。３次元位置算出部１２３は、一対の撮影画像において特定された一対の瞳孔領域の画像（一対の瞳孔中心）に基づいて、被検眼Ｅの瞳孔中心の３次元位置（Ｘ座標値、Ｙ座標値、Ｚ座標値）を求める。
【０１２０】
アライメント制御部１１１は、求められた輝点像のＸ座標値及びＹ座標値に対応する位置に、測定光学系３０（対物レンズ）の光軸を配置するように、第１駆動部８０Ａを制御する。更に、アライメント制御部１１１は、瞳孔中心のＺ座標値と既定の作動距離（ＷＤ）とに応じた位置に、測定光学系３０（対物レンズ）を配置するように、第１駆動部８０Ａを制御する。具体的には、アライメント制御部１１１は、光学ユニット２０の現在位置と被検眼Ｅの角膜頂点との３次元相対位置とに基づいて測定光学系３０の移動量を移動量決定部１２４に決定させる。アライメント制御部１１１は、移動量決定部１２４により決定された移動量に基づき光学ユニット２０を移動するように第１駆動部８０Ａを制御する。
【０１２１】
瞳孔アライメントが完了すると、眼科装置１の動作はステップＳ７に移行する。
【０１２２】
（Ｓ６：マニュアルアライメント）
ステップＳ４において輝点像が特定されなかったと判別されたとき（Ｓ４：Ｎ）、アライメント制御部１１１は、アライメントモードをマニュアルアライメントモードに切り替える。
【０１２３】
マニュアルアライメントモードでは、アライメント制御部１１１は、前眼部カメラ６０Ａ及び／又は６０Ｂにより取得される前眼部の画像（又は、測定光学系３０等により取得される前眼部Ｅａの観察画像）が、表示部９１にリアルタイムで動画として表示される。
【０１２４】
ユーザは、測定光学系３０を移動するために、操作部９２を操作する。このとき、アライメント制御部１１１は、操作部９２から入力される操作信号に応じて第１駆動部８０Ａを制御する。手動アライメントが完了すると、眼科装置１の動作はステップＳ７に移行する。
【０１２５】
（Ｓ７：アライメント完了？）
ステップＳ５又はステップＳ６のアライメントが完了するまで（Ｓ７：Ｎ）、ステップＳ３〜ステップＳ６が繰り返し実行される。この一連の動作は、例えば、光学ユニット２０と被検眼Ｅの角膜頂点の相対位置が既定の許容範囲内に入るまで繰り返される。
【０１２６】
ステップＳ５又はステップＳ６のアライメントが完了するすると（Ｓ７：Ｙ）、眼科装置１の動作はステップＳ８に移行する。
【０１２７】
（Ｓ８：パターン像を取得）
アライメントが完了すると（Ｓ７：Ｙ）、制御部１１は、アライメントの完了後に測定光学系３０により取得された前眼部Ｅａの画像を解析することで、角膜に投影された測定パターン光の反射光に基づくパターン像を取得する。
【０１２８】
なお、ステップＳ８より前にステップＳ１の測定パターンの投影が実行されていればよいため、測定パターンの投射開始はステップＳ７とステップＳ８との間で実行されてもよい。
【０１２９】
（Ｓ９：角膜形状情報を求める）
制御部１１は、ステップＳ８において取得されたパターン像を解析して被検眼Ｅの角膜形状情報を角膜形状情報取得部１２５に算出させる。角膜形状情報取得部１２５は、例えば、取得されたパターン像に対して演算処理を施すことにより角膜曲率半径を算出し、算出された角膜曲率半径から角膜屈折力、角膜乱視度及び角膜乱視軸角度を算出することができる。制御部１１は、算出された角膜形状情報を表示部９１に表示させたり、記憶装置に記憶させたりすることができる。以上で、眼科装置１の動作は終了となる（エンド）。
【０１３０】
以上説明したように、実施形態によれば、前眼部カメラ６０の入射瞳の位置をケラト板４０に形成された透光部４３、４４又はその近傍に配置するようにしたので、透光部４３、４４のサイズ（穴径）を小さくし、測定パターンの欠損がなく（又は少なく）且つダイナミックレンジが広いアライメントが可能な眼科装置を提供することができるようになる。
【０１３１】
＜変形例＞
なお、実施形態に係る眼科装置の構成は、図９に示した構成に限定されるものではない。実施形態に係る眼科装置において、前眼部カメラの撮像レンズとしてマイクロレンズが用いられてもよい。
【０１３２】
以下、実施形態の変形例に係る眼科装置について、実施形態に係る眼科装置との相違点を中心に説明する。実施形態の変形例に係る眼科装置の構成が実施形態に係る眼科装置１の構成と異なる点は、前眼部カメラの撮像レンズである。変形例に係る撮像レンズとしてマイクロレンズが用いられている。すなわち、２以上の前眼部カメラ６０の少なくとも１つは、対応する透光部又はその近傍に配置されたマイクロレンズと、マイクロレンズより後側に配置された撮像素子とを含む。
【０１３３】
図１３に、実施形態の変形例に係る眼科装置の光学系の構成を模式的に示す。図１３において、図９と同様の部分には同一符号を付し、適宜説明を省略する。図１３は、ケラト板４０と前眼部カメラ６０Ａとを表す。なお、図１３では、前眼部カメラ６０Ｂの図示が省略されている。
【０１３４】
本変形例においても、実施形態と同様に前眼部カメラ６０の入射瞳がケラト板４０に形成された透光部又はその近傍に配置される。本変形例では、撮像レンズ６１Ａに代えて設けられた撮像レンズ６３Ａとしてマイクロレンズが用いられている。撮像レンズ６３Ａの光軸は、前眼部カメラ６０Ａの撮影光路の向きに一致している。それにより、ケラト板４０の透光部又はその近傍に前眼部カメラ６０Ａの入射瞳を配置することが可能になる。従って、ケラト板４０の背面側に前眼部カメラ６０Ａを配置した場合でも、十分に広い視野を確保しつつ、透光部のサイズｒ２（ｒ＜Ｒ）を小さくすることができる。
【０１３５】
本変形例によれば、実施形態と同様に、前眼部カメラ６０の入射瞳の位置をケラト板４０に形成された透光部４３、４４又はその近傍に配置するようにしたので、透光部４３、４４のサイズ（穴径）を小さくし、且つダイナミックレンジが広いアライメントが可能な眼科装置を提供することができるようになる。
【０１３６】
なお、ケラト板４０に形成された透光部又はその近傍にマイクロレンズを配置する代わりに、当該透光部又はその近傍にレンズ（例えば、フレネルレンズ）が一体で成型されたケラト板を用いてもよい。
【０１３７】
＜効果＞
実施形態に係る眼科装置の効果について説明する。
【０１３８】
実施形態に係る眼科装置（１）は、２以上の撮影部（前眼部カメラ６０、６０Ａ、６０Ｂ、測定光学系に設けられた撮影光学系）と、投影部（ケラト板４０とケラト板４０の背面側に配置された光源）と、角膜形状情報取得部（１２５）と、移動量決定部（１２４）とを含む。２以上の撮影部は、被検眼（Ｅ）の前眼部（Ｅａ）を異なる方向から実質的に同時に撮影する。投影部は、所定のパターン（リング状パターン）の拡散透過部（４２）と２以上の撮影部の光路が通過する２以上の透光部（４３、４４）とが形成された光学部材（ケラト板４０）を含み、光学部材の背面側に配置された光源からの光が拡散透過部を拡散透過することにより得られた測定パターン光を前眼部に投影する。角膜形状情報取得部は、投影部により測定パターン光が投影されている前眼部の画像に基づいて被検眼の角膜形状情報を求める。移動量決定部は、２以上の撮影部により取得された２以上の撮影画像に基づいて投影部の移動量を決定する。２以上の撮影部のそれぞれの入射瞳は、対応する透光部又はその近傍に配置されている。
【０１３９】
このような構成によれば、２以上の撮影部の入射瞳の位置を光学部材に形成された透光部又はその近傍に配置するようにしたので、透光部のサイズ（穴径）を小さくし、パターンの欠損がなく、又は少なく、且つダイナミックレンジが広いアライメントが可能になる。それにより、高精度な角膜形状の測定が可能な眼科装置を提供することができるようになる。
【０１４０】
また、実施形態に係る眼科装置では、２以上の撮影部の少なくとも１つは、２以上の透光部のうち対応する透光部又はその近傍に前側主平面が配置されたレンズ（撮像レンズ６１Ａ）と、レンズより後側に配置された撮像素子（６２Ａ）と、を含んでもよい。
【０１４１】
このような構成によれば、透光部又はその近傍に前側主平面が配置されたレンズ（例えば、ハイアイポイントレンズ）を用いて、アライメント可能範囲が広く、高精度な角膜形状の測定が可能な眼科装置を提供することができる。
【０１４２】
また、実施形態に係る眼科装置では、２以上の撮影部の少なくとも１つは、２以上の透光部のうち対応する透光部又はその近傍に配置されたマイクロレンズ（６３Ａ）と、マイクロレンズより後側に配置された撮像素子（６２Ａ）と、を含んでもよい。
【０１４３】
このような構成によれば、マイクロレンズを用いることできるので、低コストで、アライメント可能範囲が広く、高精度な角膜形状の測定が可能な眼科装置を提供することができる。
【０１４４】
また、実施形態に係る眼科装置では、２以上の透光部は、開口部（４１）を含み、光軸が開口部を通過し、前眼部のデータを取得する光学系（測定光学系３０）を含んでもよい。
【０１４５】
このような構成によれば、光学部材に形成される透光部の数をより少なくすることができるようになる。それにより、アライメント可能範囲が広く、高精度な角膜形状の測定が可能な眼科装置を容易に提供することができるようになる。
【０１４６】
また、実施形態に係る眼科装置では、光学部材には開口部（４１）が形成され、光軸が開口部を通過するように配置され前眼部のデータを取得する光学系（測定光学系３０）を含み、２以上の透光部は、開口部における前記光軸に相当する位置に対して非点対称の位置に形成されていてもよい。
【０１４７】
このような構成によれば、透光部によるパターンの欠損がある場合であっても、取得されたパターン像を楕円近似することにより長径及び短径の少なくとも一方を特定することができるため、高精度な角膜形状情報の取得が可能になる。
【０１４８】
また、実施形態に係る眼科装置では、２以上の透光部は、光軸に対して下方に形成されていてもよい。
【０１４９】
このような構成によれば、被検者の瞼や睫毛が映り込む可能性を低減したり、眼の窪み（眼窩）が深い被検者であっても好適に前眼部の画像を取得したりすることが可能になる。
【０１５０】
また、実施形態に係る眼科装置は、被検者の顔を支持する支持部（顔支持部７０）と、光学系と支持部とを相対的に移動する駆動部（第１駆動部８０Ａ、第２駆動部８０Ｂ）と、移動量に基づき駆動部を制御することで、光学系と支持部とを相対移動させる制御部（１１）と、を含んでもよい。
【０１５１】
このような構成によれば、アライメント可能範囲が広いオートアライメントが可能で、且つ高精度な角膜形状の測定が可能な眼科装置を提供することができる。
【０１５２】
また、実施形態に係る眼科装置では、２以上の透光部は、拡散透過部に重複しない位置に形成されていてもよい。
【０１５３】
このような構成によれば、測定パターンの欠損が生じることなく、アライメント可能範囲が広く、高精度な角膜形状の測定が可能な眼科装置を提供することができるようになる。
【０１５４】
また、実施形態に係る眼科装置では、所定のパターンは、リングパターン又は同心円パターンであってよい。
【０１５５】
このような構成によれば、アライメント可能範囲が広く、ケラト測定又はプラチド測定により高精度な角膜形状の測定が可能な眼科装置を提供することができるようになる。
【０１５６】
実施形態に係る処理を実現するためのコンピュータプログラムを、コンピュータによって読み取り可能な任意の記録媒体に記憶させることができる。この記録媒体としては、例えば、半導体メモリ、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。
【０１５７】
また、インターネットやＬＡＮ等のネットワークを通じてコンピュータプログラムを送受信することも可能である。
【０１５８】
以上に説明した態様は、この発明を実施するための例に過ぎない。この発明を実施しようとする者は、この発明の要旨の範囲内における任意の変形（省略、置換、付加等）を施すことが可能である。
【符号の説明】
【０１５９】
１  眼科装置
１１  制御部
１１１  アライメント制御部
１２  データ処理部
２０  光学ユニット
３０  測定光学系
４０、４０ａ  ケラト板
４１、４１ａ  開口部
４２、４２ａ  拡散透過部
４３、４３ａ、４４、４４ａ  透光部
６０、６０Ａ、６０Ｂ  前眼部カメラ
６１、６１Ａ、６３Ａ  撮像レンズ
６２、６２ａ  撮像素子
８０Ａ  第１駆動部
８０Ｂ  第２駆動部
９１  表示部
９２  操作部
１２１  画像補正部
１２２  特徴位置特定部
１２３  ３次元位置算出部
１２４  移動量決定部
１２５  角膜形状情報取得部
Ｅ  被検眼
Ｅａ  前眼部
【図１】
2019055122.tif 000003
【図２】
2019055122.tif 000004
【図３】
2019055122.tif 000005
【図４】
2019055122.tif 000006
【図５】
2019055122.tif 000007
【図６】
2019055122.tif 000008
【図７】
2019055122.tif 000009
【図８】
2019055122.tif 000010
【図９】
2019055122.tif 000011
【図１０】
2019055122.tif 000012
【図１１】
2019055122.tif 000013
【図１２】
2019055122.tif 000014
【図１３】
2019055122.tif 000015